(57)【特許請求の範囲】
【請求項１】
他のファクシミリ装置からファクシミリデータを受信するファクシミリデータ受信部と、
前記ファクシミリデータ受信部により受信されたファクシミリデータを記憶する記憶部と、
前記記憶されたファクシミリデータについてのファクスジョブの管理を行うジョブ管理部と、
ユーザーから、前記ジョブ管理部が管理するファクシミリデータを、他の装置に転送する転送指示を受け付ける転送指示受付部と、
前記転送指示受付部に前記転送指示が受け付けられたとき、転送対象となるファクシミリデータに対応付けてパスワードを作成するパスワード作成部と、
前記パスワード作成部により作成されたパスワードと、前記転送対象となるファクシミリデータとを含む転送データを、前記他の装置に転送するデータ転送部と、
ユーザーから、削除対象とするファクスジョブの指定とパスワードの入力による削除指示を受け付ける削除指示受付部とを備え、
前記ジョブ管理部は、前記削除指示受付部に削除指示が受け付けられたとき、当該削除指示が示すパスワードと、当該削除指示が削除対象とするファクスジョブのファクシミリデータに対応付けて作成された前記パスワードとを比較し、これらパスワードが一致することを条件として、当該削除指示が示すファクスジョブを削除し、
ユーザーからの前記パスワード入力に基づいて前記ジョブ管理部により前記ファクシミリデータ及びそのジョブが削除されたとき、当該ファクシミリデータの転送に用いられた装置を転送先候補として記憶する装置記憶部を更に備えたファクシミリ装置。
【請求項２】
前記データ転送部は、前記転送指示受付部に前記転送指示が受け付けられたとき、前記装置記憶部に前記転送先候補として記憶されている装置に前記転送データを転送する請求項１に記載のファクシミリ装置。
【請求項３】
表示部と、
前記装置記憶部に記憶されている転送先候補としての装置を示す情報を前記表示部に表示させる制御部とを、更に備えた請求項１又は請求項２に記載のファクシミリ装置。
【請求項４】
前記制御部は、前記装置記憶部に記憶されている転送先候補としての装置について、前記転送データの転送後に前記パスワードの入力による前記ファクスジョブの削除が成立した削除成立回数を記憶しておき、当該削除成立回数に応じて、前記転送先候補としての装置の表示形態を異ならせる請求項３に記載のファクシミリ装置。
【請求項５】
前記データ転送部は、前記転送指示受付部に前記転送指示が受け付けられたとき、前記装置記憶部に前記転送先候補として記憶されている装置のうち、前記削除成立回数が最も多い装置に前記転送データを転送する請求項４に記載のファクシミリ装置。
【発明の詳細な説明】
【技術分野】
【０００１】
本発明は、ファクシミリ装置に関し、特に、ファクシミリデータを他の機器に転送した場合における当該ファクシミリデータの管理技術に関する。
【背景技術】
【０００２】
ファクシミリデータを他のファクシミリ装置から受信したときに、受信側のファクシミリ装置が即座に当該ファクシミリデータを印刷できない事態に備えて、他のファクシミリ装置や画像形成装置にファクシミリデータを転送して、当該他のファクシミリ装置や画像形成装置における画像形成を可能にする技術が提案されている（下記特許文献１，２参照）。
【先行技術文献】
【特許文献】
【０００３】
【特許文献１】特開２００９−１８２６５２号公報
【特許文献２】特開平０９−６５０３５号公報
【発明の概要】
【発明が解決しようとする課題】
【０００４】
上記従来の技術によれば、受信したファクシミリデータの印刷物を他の装置によりユーザーが入手可能となるが、元のファクシミリ装置からファクシミリデータを転送した後、即座に当該元のファクシミリ装置からファクシミリデータを消去した場合、転送先の装置で印刷に失敗すると、正常に受信したファクシミリデータであるにも拘わらず当該ファクシミリデータを保証できない事態を招く。一方、ファクシミリデータの保証のために元のファクシミリ装置において長期間当該ファクシミリデータを保存しておくとメモリフルを招くおそれがある。
【０００５】
また、上記のように他の画像形成装置にファクシミリデータを転送し、転送先での印刷によりファクシミリデータを保証する場合、転送先としての画像形成装置において確実に印刷を実行することが求められる。
【０００６】
本発明は、上記の問題を解決するためになされたもので、受信したファクシミリデータを、受信元の装置とは異なる他の装置に転送して画像形成又は表示させる場合に、受信元の装置におけるファクシミリデータ保存によるメモリフルを防止しつつ、正常に受信したファクシミリデータを確実に保証することを目的とする。
【課題を解決するための手段】
【０００７】
本発明の一局面に係るファクシミリ装置は、他のファクシミリ装置からファクシミリデータを受信するファクシミリデータ受信部と、前記ファクシミリデータ受信部により受信されたファクシミリデータを記憶する記憶部と、前記記憶されたファクシミリデータについてのファクスジョブの管理を行うジョブ管理部と、ユーザーから、前記ジョブ管理部が管理するファクシミリデータを、他の装置に転送する転送指示を受け付ける転送指示受付部と、前記転送指示受付部に前記転送指示が受け付けられたとき、転送対象となるファクシミリデータに対応付けてパスワードを作成するパスワード作成部と、前記パスワード作成部により作成されたパスワードと、前記転送対象となるファクシミリデータとを含む転送データを、前記他の装置に転送するデータ転送部と、ユーザーから、削除対象とするファクスジョブの指定とパスワードの入力による削除指示を受け付ける削除指示受付部とを備え、記ジョブ管理部は、前記削除指示受付部に削除指示が受け付けられたとき、当該削除指示が示すパスワードと、当該削除指示が削除対象とするファクスジョブのファクシミリデータに対応付けて作成された前記パスワードとを比較し、これらパスワードが一致することを条件として、当該削除指示が示すファクスジョブを削除し、ユーザーからの前記パスワード入力に基づいて前記ジョブ管理部により前記ファクシミリデータ及びそのジョブが削除されたとき、当該ファクシミリデータの転送に用いられた装置を転送先候補として記憶する装置記憶部を更に備えたものである。
【０００８】
本発明では、データ転送部がファクシミリデータを他の装置に転送するときに、パスワード作成部によって作成されたパスワードを一緒に転送データとして送信することで、当該転送データを受信した装置において当該ファクシミリデータに加えてパスワードの印刷も可能にする。これにより、ユーザーは、この装置から当該パスワードを得ることが可能になる。ジョブ管理部は、当該パスワードがユーザーから入力され、入力されたパスワードと、作成したパスワードが一致することを条件として、ファクシミリデータを削除する。ここで、ユーザーは、上記装置において、ファクシミリデータと共にパスワードが印刷された場合に、当該ファクシミリデータを削除するためのパスワードを知ることができることになるため、当該ファクシミリデータがいずれかの装置で印刷されることが保証される。そして、パスワードが入力されると、ファクシミリ装置ではファクシミリデータを削除して、メモリー等に記憶しているデータ量を減らすことができるため、メモリフルが防止される。
【０００９】
さらに、装置記憶部は、上記パスワード入力に基づくファクシミリデータ及びそのジョブの削除が成立したときに、当該ファクシミリデータの転送に用いられた装置を転送先候補として記憶するので、転送データの転送によりファクシミリデータ及びパスワードの印刷に成功した実績を有する装置が抽出されて当該装置記憶部に記憶される。
【発明の効果】
【００１０】
本発明に係るファクシミリ装置によれば、受信したファクシミリデータを、受信元の装置とは異なる他の装置に転送して画像形成又は表示させる場合に、転送したファクシミリデータに対応付けられたパスワードの入力を条件に記憶部からファクシミリデータを削除することで、ファクシミリデータ保存によるメモリフルを防止しつつ、正常に受信したファクシミリデータを確実に保証することが可能になる。
【００１１】
さらに、転送したファクシミリデータ及びパスワードの印刷に成功した装置が装置記憶部に蓄積されていくため、ファクシミリデータの転送先指定時等に、転送したファクシミリデータを印刷する信頼性の高い装置をユーザーに対して提示する、或いは、当該信頼性の高い装置に対してデータ転送部が転送データを送信することなどが可能になる。これにより、正常に受信したファクシミリデータを更に確実に保証することができる。
【図面の簡単な説明】
【００１２】
【図１】本発明の一実施形態に係るファクシミリ装置としての画像形成装置の外観を示す斜視図である。
【図２】本発明の第１実施形態に係るファクシミリ装置としての複合機の内部構成の概略を示すブロック図である。
【図３】複合機によるファクス転送処理の第１実施形態を示すフローチャートである。
【図４】表示部の表示画面の一例を示す図である。
【図５】操作部及び表示部を示す図である。
【図６】表示部の表示画面の一例を示す図である。
【図７】表示部の表示画面の一例を示す図である。
【図８】表示部の表示画面の一例を示す図である。
【図９】表示部の表示画面の一例を示す図である。
【図１０】表示部の表示画面の一例を示す図である。
【図１１】表示部の表示画面の一例を示す図である。
【図１２】表示部の表示画面の一例を示す図である。
【図１３】表示部の表示画面の一例を示す図である。
【図１４】複合機によるファクス転送処理の第２実施形態を示すフローチャートである。
【図１５】表示部の表示画面の一例を示す図である。
【図１６】第２実施形態に係る複合機の概略構成を示すブロック図である。
【図１７】第２実施形態に係る複合機によるファクス転送処理を示すフローチャートである。
【図１８】表示部の表示画面の一例を示す図である。
【図１９】第２実施形態に係る複合機によるファクス転送処理を示すフローチャートである。
【図２０】表示部の表示画面の一例を示す図である。
【図２１】表示部の表示画面の一例を示す図である。
【発明を実施するための形態】
【００１３】
以下、本発明の一実施形態に係るファクシミリ装置について図面を参照して説明する。図１は本発明の一実施形態に係るファクシミリ装置としての画像形成装置の外観を示す斜視図である。本発明の一実施形態に係るファクシミリ装置としての画像形成装置は、例えば、複合機１である。図１に示すように、複合機１は、筐体からなる装置本体１０を備える。
【００１４】
装置本体１０は、下ハウジング３と、その上部に設けられた上ハウジング４と、これら両ハウジングを連結する連結ハウジング８とを備える。下ハウジング３と上ハウジング４との中間部には、側方から略水平方向に内側に入り込んだ用紙スタック部５が形成されている。また、上ハウジング４の前面には、操作部４７が設けられている。用紙スタック部５には、下ハウジング３から排出される用紙が積載されるシートトレイ６が設けられている。
【００１５】
上ハウジング４は、内部にフラットベッドを有して当該フラットベッド上の原稿をスキャナー部等により読み取る画像読取部２を有している。下ハウジング３は、用紙上にトナー画像を形成する感光体ドラム、露光部及び現像部と、用紙上のトナー画像を定着するための定着部といった画像形成部１３０（図２）を内蔵している。下ハウジング３には、更に、記録紙を貯留する給紙カセット７が設けられている。なお、この実施形態では、給紙カセット７が２つ備えられた例を示しているが、給紙カセットの数は特に限定されない。連結ハウジング８には、画像形成行程における定着後の記録紙を搬送してシートトレイ６に排出するための用紙搬送路を内蔵している。
【００１６】
複合機１では、画像読取部２により読み取られた原稿画像を、下ハウジング３に内蔵された上記画像形成機構により、給紙カセット７のいずれかから給紙される記録紙上に画像形成し、当該画像形成後の記録紙は、連結ハウジング８内の用紙搬送路からシートトレイ６に排出される。
【００１７】
次に、本発明の第１実施形態に係るファクシミリ装置としての複合機１が有する構成を説明する。図２は、本発明の第１実施形態に係るファクシミリ装置としての複合機１の内部構成の概略を示すブロック図である。
【００１８】
第１実施形態に係る複合機１は、制御ユニット１００と、画像読取部２と、画像メモリー１２０と、画像形成部１３０と、ファクシミリ通信部１４０とを有する。
【００１９】
画像読取部２は、原稿を読み取って原稿画像を取得するスキャナー等を備える。画像読取部２は、例えば、原稿載置台、当該原稿載置台から搬送される原稿の画像を読み取るスキャナー、及び読取済の原稿を排出する排出機構を有するＡＤＦ（Auto Document Feeder）である。画像読取部２は、ファクス送信の対象とされる原稿を１枚ずつ読み取り、ファクス送信の対象とするデータを生成する。
【００２０】
画像メモリー（記憶部）１２０は、画像読取部２によって読み取られた原稿のデータ、ファクシミリ通信部１４０又は通信インターフェイス１６０により取得されたファクシミリ送信の対象となるデータ等、画像形成部１３０の画像形成（印刷）の対象となるデータを一時的に保存する領域である。
【００２１】
画像形成部１３０は、画像読取部２によって読み取られた原稿のデータや、ファクシミリ通信部１４０又は通信インターフェイス１６０により取得されたデータ等であって、画像メモリー１２０に記憶されているデータを読み出し、当該データを用いて画像形成（印刷）を行う。
【００２２】
ファクシミリ通信部（ファクシミリデータ受信部）１４０は、ファクシミリ通信に必要な諸機能を実行し、公衆回線を通じて、外部のファクシミリ装置との間で画像データを送受信する。
【００２３】
制御ユニット１００は、ＣＰＵ、ＲＯＭ及びＲＡＭ等からなり、複合機１の全体的な動作を司る。制御ユニット１００は、制御部１０１と、ジョブ管理部１０２と、転送指示受付部１０３と、パスワード作成部１０４と、データ転送制御部１０５と、削除指示受付部１０６と、装置検出部１０７と、データ変換部１０８と、可否検出部１０９とを備えている。
【００２４】
なお、ＨＤＤ１７０又は図略のＲＯＭに、複合機１のファクスジョブ管理プログラムが記憶されており、制御ユニット１００は、当該ファクスジョブ管理プログラムに従って動作することにより、制御部１０１と、ジョブ管理部１０２と、転送指示受付部１０３と、パスワード作成部１０４と、データ転送制御部１０５と、削除指示受付部１０６と、装置検出部１０７と、データ変換部１０８と、可否検出部１０９とを備える。
【００２５】
なお、制御部１０１に関しては、各実施形態として示すファクスジョブ管理に関する機能部分が、ファクスジョブ管理プログラムに従った動作により実現される。但し、制御部１０１（ファクスジョブ管理に関する機能についての制御部１０１）、ジョブ管理部１０２、転送指示受付部１０３、パスワード作成部１０４、データ転送制御部１０５、削除指示受付部１０６、装置検出部１０７、データ変換部１０８、及び可否検出部１０９は、当該ファクスジョブ管理プログラムに基づく動作によらず、それぞれハード回路により構成されるものとしてもよい。以下、特に触れない限り、各実施形態について同様である。
【００２６】
また、上記制御部１０１〜可否検出部１０９の各部は、後述する各実施形態において必要となる限りにおいて、本発明の実施形態としての複合機１の構成要素となる。
【００２７】
制御部１０１は、複合機１の全体的な動作を司る。
【００２８】
例えば、制御部１０１は、ファクス送信用に画像読取部２により読み取られて画像メモリー１２０に一時的に記憶されている各頁の原稿のデータを頁順に読み出して、ファクシミリ通信部１４０に、ユーザーによる操作部４７の操作で指定された相手先のファクシミリ装置に向けてファクス送信させる。
【００２９】
また、制御部１０１は、ファクシミリ通信部１４０により受信されて画像メモリー１２０に一時的に記憶されているファクシミリデータを頁順に読み出して、画像形成部１３０に画像形成（印刷）させる。
【００３０】
ジョブ管理部１０２は、複合機１で受け付けた各ジョブ、例えば、プリントジョブ、スキャンジョブ、ファクスジョブ、コピージョブ等についての実行順、実行時期、待機、削除、追加等を調整する。例えば、ジョブ管理部１０２は、ファクシミリ通信部１４０により受信されて画像メモリー１２０に記憶された各ファクシミリデータについてのファクスジョブの管理を行う。この場合、ジョブ管理部１０２は、当該受信された各ファクシミリデータの画像形成部１３０に行わせる時期の調整や、各ファクシミリデータについてのジョブ削除等を行う。
【００３１】
転送指示受付部１０３は、ユーザーから、ジョブ管理部１０２によるジョブ管理の対象とされているファクシミリデータを、他の装置に転送する転送指示の入力を受け付ける。当該転送指示は、ユーザーによる操作部４７の操作により入力される。他の装置とは、ＬＡＮ（local area network）又はインターネットにより複合機１にネットワーク接続されているファクシミリ装置、プリンター、複合機等、外部から受信したデータの画像形成が可能な画像形成装置である。また、当該他の装置は、情報表示装置等、外部から受信したデータの表示が可能な装置であってもよいし、ＵＳＢメモリーやＨＤＤ等のような外部記憶装置であってもよい。
【００３２】
パスワード作成部１０４は、転送指示受付部１０３に上記転送指示が受け付けられたとき、転送対象となるファクシミリデータに対応付けてパスワードを作成する。作成したパスワードは、パスワード作成部１０４又はジョブ管理部１０２が、ファクシミリデータのファクスジョブに対応付けて記憶しておく。
【００３３】
データ転送制御部１０５は、パスワード作成部１０４により作成されたパスワードと、転送指示の対象となるファクシミリデータとを有する転送データを、ファクシミリ通信部１４０又は通信インターフェイス１６０から、上記他の装置に転送させる。データ転送制御部１０５、ファクシミリ通信部１４０、及び通信インターフェイス１６０は、特許請求の範囲におけるデータ転送部の一例である。
【００３４】
削除指示受付部１０６は、ジョブ管理部１０２によるジョブ管理の対象とされているファクスジョブについて、ユーザーにより、削除対象とするファクスジョブの指定とパスワードとの入力による削除指示を受け付ける。当該削除指示は、ユーザーによる操作部４７の操作により入力される。
【００３５】
削除指示受付部１０６に削除指示が受け付けられたとき、ジョブ管理部１０２は、当該削除指示が示すパスワードと、当該削除指示が削除対象とするファクシミリデータに対応付けて作成されているパスワードとを比較し、これらパスワードが一致することを条件として、当該削除指示が示すファクスジョブを削除する。
【００３６】
装置検出部１０７は、複合機１が接続されているローカルエリアネットワーク内にある装置から、上記転送指示による転送の対象とされるファクシミリデータの受信が可能な装置を検出する。例えば、装置検出部１０７は、複合機１とＬＡＮ通信が可能に設定済みとされている画像形成装置や情報処理装置をローカルエリアネットワーク内から検出し、検出した装置に対するデータ送信を可能にするために、当該各装置からそのＩＰアドレスを取得する。
【００３７】
なお、制御部１０１は、装置検出部１０７により検出された画像形成装置を、上記転送指示に基づくファクシミリデータの転送先候補として、表示部１５０に表示させる。
【００３８】
データ変換部１０８は、上記転送データを、上記転送指示が当該転送データの転送先とする装置において画像形成又は表示が可能なデータ形式、或いは、一般な多くの装置で画像形成又は表示に採用されているデータ形式に変換する。
【００３９】
例えば、当該転送先の画像形成装置が複合機１と同機種である等、複合機１で適用するファクシミリデータのデータ形式を変換せずに画像形成や表示が可能である場合は、データ転送制御部１０５は、当該ファクシミリデータをそのデータ形式の変換なしに、ファクシミリ通信部１４０から、当該画像形成装置に送信させる。
【００４０】
一方、当該転送先の画像形成装置が複合機１とは異なる機種である等、複合機１で適用するファクシミリデータのデータ形式では画像形成や表示が不可能である場合は、データ転送制御部１０５は、当該ファクシミリデータを予め定められた標準的なデータ形式、例えば、Post Script形式等にデータ形式を変換し、ファクシミリ通信部１４０から、当該データ形式変換後のファクシミリデータ及びパスワードを当該画像形成装置に送信する。
【００４１】
なお、当該転送先の情報処理装置が、複合機１で適用するファクシミリデータのデータ形式では画像形成や表示が不可能である場合にも、当該ファクシミリデータを、予め定められた標準的なデータ形式、例えば、Jpeg、Bitmap、PDF等のデータ形式に変換し、データ転送制御部１０５は、当該データ形式変換後のファクシミリデータ及びパスワードを、ファクシミリ通信部１４０から、当該情報処理装置に送信する。
【００４２】
可否検出部１０９は、転送指示の示す装置が、上記標準的なデータ形式での画像形成が可能な画像形成装置であるか否かを検出する。
【００４３】
データ転送制御部１０５は、可否検出部１０９によって、上転送指示の示す装置が上記標準的なデータ形式での画像形成が可能な画像形成装置であると判断された場合は、上記標準的なデータ形式とされたファクシミリデータ及びパスワードを含む前記転送データの転送を、転送指示により転送先とされる装置に対して、ファクシミリ通信部１４０から行わせる。
【００４４】
一方、データ転送制御部１０５は、可否検出部１０９によって上記転送指示の示す装置が当該標準的なデータ形式での画像形成が不可能な画像形成装置であると検出された場合には、上記標準的なデータ形式とされたファクシミリデータ及びパスワードを含む前記転送データを、ファクシミリ通信部１４０から、インターネット上の予め定められたサーバーに対して送信させる。
【００４５】
ここでは、いわゆるクラウド上のサーバーに備えられるプリンタードライバー機能により、上記転送指示により転送データの転送先とされる画像形成装置が当該転送データに含まれるファクシミリデータ及びパスワードを画像形成可能となるデータ形式に変換させることを想定している。
【００４６】
この場合、データ転送制御部１０５は、ファクシミリ通信部１４０から、上記転送データとして、転送先とする画像形成装置を示す機種情報と、当該画像形成装置の場所を示す情報としてIPアドレス等を送信する。そして、クラウド上のサーバーは、記憶している装置機種及び各機種対応のデータ形式の関係を示すデータテーブルに基づいて、当該転送先とされる画像形成装置で画像形成可能なデータ形式を特定し、上記ファクシミリデータ及びパスワードを、当該データ形式に変換する。
【００４７】
当該サーバーは、複合機１のファクシミリ通信部１４０から送られてきた上記IPアドレス等に従って、転送先とする画像形成装置に対して、上記データ変換後のファクシミリデータ及びパスワードを送信する。このようにして、データ転送制御部１０５は、ファクシミリ通信部１４０を介して、当該サーバーにおいて転送先の画像形成装置に適応するデータ形式に変換された当該転送データを、当該サーバーから、当該転送先とする画像形成装置に向けて送信させる。
【００４８】
また、複合機１は、操作部４７及び表示部１５０を備える。操作部４７は、画像形成又は送信スタートキー、テンキー及び短縮番号キー等からなり、ユーザーから各種操作指示、本実施形態でいえば、例えば、上記ジョブ管理の対象とされているファクシミリデータの転送指示及び削除指示の入力等を受け付ける。
【００４９】
表示部１５０は、ユーザーへの操作案内等を表示するＬＣＤ（Liquid Crystal Display）等からなる。なお、この表示部１５０がタッチパネル機能を備えることにより、操作部４７としてユーザーからの各種操作指示を受け付けるようにしてもよい。
【００５０】
さらに、複合機１は、画像読取部２が読み取った画像の編集及び加工処理等を行う画像処理部１９０と、ネットワーク接続された他のパーソナルコンピューターやサーバーとの間で各種データの通信を行うための通信インターフェイス１６０とを有している。
【００５１】
次に、複合機１によるファクス転送処理の第１実施形態を説明する。図３は、複合機１によるファクス転送処理の第１実施形態を示すフローチャートである。図５は操作部４７及び表示部１５０を示す図である。図４、図６乃至図１３は表示部１５０の表示画面の一例を示す図である。なお、図３ではＹＥＳをＹ、ＮＯをＮとして示す。
【００５２】
複合機１が他のファクシミリ装置からファクシミリデータを受信すると、ジョブ管理部１０２は、当該ファクシミリデータに基づく画像形成の実行等をファクスジョブとして、ジョブ管理の対象とする。ジョブ管理部１０２は、既に受け付けている他のジョブ、例えば、プリントジョブ等がある場合には、当該ファクスジョブを、当該他のジョブに続く順番待ちの状態とする。ジョブ管理部１０２は、当該ファクスジョブの実行の順番が到来するまでは実行せずに待機状態としておき、順番が到来すると、当該ファクスジョブを実行する。
【００５３】
例えば、複合機１がファクシミリデータを受信した時に、画像形成部１３０のトナー切れや用紙切れの原因等により、当該ファクシミリデータを即座に印刷できない場合などは、ジョブ管理部１０２は、受信したファクシミリデータを画像メモリー１２０に記憶させた状態で、当該ファクシミリデータについてのファクスジョブを待ち状態とする。この場合、上記原因の解消を示す情報をジョブ管理部１０２が得たとき、ジョブ管理部１０２は、ファクスジョブをジョブ実行の順番待ちに組み入れる。例えば、トナー切れによりファクスジョブが待機状態になっている場合、制御部１０１は、表示部１５０に、待機状態の原因を示すメッセージを有する表示画面ｄ１（図４）を表示させる。
【００５４】
このような状態のときに、例えば図５に例を示す操作部４７の「状態確認／ジョブ中止」キーＢ０をユーザーが押下すると、当該押下操作に基づいて、制御部１０１が、実行中又は待機中のジョブの一覧、すなわち、ジョブ管理部１０２が管理対象としているジョブの一覧を表示させる表示指示を受け付ける（Ｓ１でＹＥＳ）。このとき、制御部１０１は、表示部１５０に、図６に例を示すような、ユーザーに対していずれの動作のジョブを表示させるかの選択を促すための動作別ジョブ項目を示す表示画面ｄ２を表示させる（Ｓ２）。
【００５５】
この表示画面ｄ２が表示部１５０に表示されている状態で、各動作別のジョブ項目を表示する画像ｉｍ１〜４のうち、ユーザーが所望のジョブ項目を表示している画像を押下すると、表示部１５０に表示されているタッチパネル機能により、ユーザーにより押下された画像に対応付けられているジョブ項目に属する各ジョブを表示させる表示指示が入力される（Ｓ３でＹＥＳ）。例えば、図６に示す表示画面ｄ２の場合、「印刷ジョブ状況」画像ｉｍ１がユーザーにより押下されると、当該画像ｉｍ１に対応付けられている項目である印刷ジョブであって、印刷待ち状態となっている各ジョブのリストの表示を要求する表示指示が入力される。
【００５６】
そして、制御部１０１は、ユーザーにより指示されたジョブ項目に属して待機状態となっているジョブの一覧を表示部１５０に表示させる（Ｓ４）。例えば、制御部１０１は、図７に例を示す表示画面ｄ３を、表示部１５０に表示させる。ジョブ管理部１０２は、上述したように、複数のジョブが一定時間内に集中している場合、他のジョブとの順番待ちで、複数のジョブを待機状態として管理している。このように、実行が完了しておらずジョブ管理部１０２による管理対象となっている各ジョブのうち、ユーザーにより指定された印刷ジョブとして抽出されたジョブを示す画像ｉｍ５，ｉｍ６が表示画面ｄ３内に表示される。
【００５７】
図７に示す表示画面ｄ３を表示しているときに、ユーザーにより所望のジョブを示す画像が押下されると、表示部１５０に配設されるタッチパネル機能により、当該画像に対応付けられているジョブを指定する指示が受け付けられる（Ｓ５）。例えば、ファクスジョブを示す画像ｉｍ６が押下されると、表示部１５０に配設されるタッチパネル機能により、当該画像ｉｍ６に対応付けられているファクスジョブを指定する指示が受け付けられる。
【００５８】
更に、ユーザーにより「代行印刷・転送」ボタンｂ１が押下されると、「代行印刷・転送」ボタンｂ１に対応付けられている転送指示が上記タッチパネル機能により入力され、転送指示受付部１０３に受け付けられる（Ｓ６でＮＯ，Ｓ１６でＹＥＳ）。この転送指示は、上記指定されたファクスジョブで画像形成の対象とされているファクシミリデータを、ネットワーク接続されている他の装置に転送することを要求する指示である。転送指示受付部１０３は、当該転送指示を、Ｓ５で指定されたジョブがファクスジョブである場合のみ受け付ける。
【００５９】
上記転送指示が転送指示受付部１０３に受け付けられると、装置検出部１０７が、複合機１が接続されているネットワーク上に存在するプリンター（複合機含）、ファクス、コンピューター、外部メモリーのうち、複合機１から送信したデータを画像形成、表示、又は記憶可能な機器を検出する（Ｓ１７）。なお、外部メモリーの場合、装置検出部１０７は、当該ネットワーク上のＨＤＤ（ＮＡＳ等）や、複合機１に配設されているＵＳＢインターフェイスに接続されているＵＳＢメモリーも、上記ネットワーク上の装置として検出する。これにより、ファクシミリデータの転送を行うユーザーは、転送先として設定可能な装置を容易に把握することができる。
【００６０】
この後、制御部１０１は、当該検出された各装置を示す画像を表示部１５０に表示させる（Ｓ１８）。例えば、制御部１０１は、図８に例を示すように、上記ネットワーク上に存在する装置として、プリンター（複合機含）、ファクス、コンピューター、外部メモリーが装置検出部１０７により検出された場合、これらを示す「プリンター」画像ｉｍ１１、「ファクス」画像ｉｍ１２、「アドレス帳」画像ｉｍ１３、「ワンタッチキー」画像ｉｍ１４、「外部メモリー」画像ｉｍ１５を有する表示画面ｄ４を表示部１５０に表示させる。なお、「アドレス帳」画像ｉｍ１３及び「ワンタッチキー」画像ｉｍ１４は、コンピューターが検出されていることを示すものとする。また、表示画面ｄ４は、プリンターが複数検出された場合であっても１つの「プリンター」画像ｉｍ１１の表示により、当該複数のプリンターの存在を表示するものとする。なお、ファクシミリ装置、コンピューター、及び外部メモリーについても同様である。
【００６１】
上記表示画面ｄ４が表示部１５０に表示されているときに、ユーザーが「プリンター」画像ｉｍ１１を押下すると、タッチパネル機能により、当該「プリンター」画像ｉｍ１１に対応付けられている指示、すなわち、上記検出されたプリンターの表示を要求する指示が制御部１０１に受け付けられる。制御部１０１は、当該指示を受け付けると、表示部１５０に、上記検出された各プリンターを表示させる。例えば、制御部１０１は、図９に示すように、検出された各プリンターを表示する画像ｉｍ２１〜ｉｍ２４を有する表示画面ｄ５を表示部１５０に表示させる。
【００６２】
なお、上記表示画面ｄ４が表示部１５０に表示されているときに、ユーザーが「アドレス帳」画像ｉｍ１３を押下すると、タッチパネル機能により、当該「アドレス帳」画像ｉｍ１３に対応付けられている指示、すなわち、上記検出されたコンピューターの表示を要求する指示が制御部１０１に受け付けられる。制御部１０１は、当該指示を受け付けると、表示部１５０に、上記検出された各コンピューターを表示させる。例えば、制御部１０１は、図１０に示すように、検出された各コンピューターを表示する画像ｉｍ３１〜ｉｍ３４を有する表示画面ｄ６を表示部１５０に表示させる。
【００６３】
ここで、ユーザーにより転送先としたい所望のプリンターを示す画像が押下される等により、上記検出結果として表示されている装置のいずれかを指定する指示が上記タッチパネル機能により入力されると（Ｓ１９でＹＥＳ）、転送指示受付部１０３が、当該指定された装置を、上記転送指示で転送の対象とされているファクシミリデータの転送先とする装置として受け付ける（Ｓ２０）。
【００６４】
転送指示受付部１０３が上記転送先を受け付けると、続いて、パスワード作成部１０４が、当該転送対象とされるファクシミリデータについてのパスワードを作成する（Ｓ２１）。
【００６５】
パスワードの作成後、データ転送制御部１０５は、上記転送対象とされるファクシミリデータが示す最終頁の次に更なる頁を追加して、上記作成されたパスワードを示す画像を添付し、当該データを転送用のデータとして生成する（Ｓ２２）。
【００６６】
当該データの生成後、データ転送制御部１０５は、ファクシミリ通信部１４０又は通信インターフェイス１６０から、当該生成されたデータを含む転送データを、上記転送先として指定された装置に転送する（Ｓ２３）。
【００６７】
そして、データ転送制御部１０５による上記転送データの転送処理が終了すると（Ｓ２４でＹＥＳ）、制御部１０１は、上記パスワードを表示部１５０に表示させる（Ｓ２５）。例えば、制御部１０１は、図１１に例を示す表示画面ｄ７を表示部１５０に表示させることで、Ｓ２１で作成して上記転送先に転送されたパスワードと、転送したファクシミリデータについてのファクスジョブを削除するためには当該パスワードの入力が必要であることを報知する。さらに、転送先からの受信完了通知や、印字成功通知を受け取ったことを条件に、パスワードを表示するようにすることで、更なるファクシミリデータの保証が可能となる。
【００６８】
上記転送後、ジョブ管理部１０２は、上記転送データの転送先とされた装置を、転送対象とされたファクシミリデータのファクスジョブに対応付けて記憶しておく（Ｓ２６）。なお、Ｓ２６の後、処理は終了する。
【００６９】
一方、上記のＳ４において、制御部１０１が、待機状態であるジョブの一覧を例えば図７に示す表示画面ｄ３を表示部１５０に表示させているときに、ジョブを指定する指示が受け付けられ（Ｓ５）、更に、ユーザーにより「中止」ボタンｂ２が押下されると、上記指定されたジョブを削除（中止）する削除指示が上記タッチパネル機能により削除指示受付部１０６に受け付けられる（Ｓ６でＹＥＳ）。
【００７０】
このとき、ジョブ管理部１０２は、当該削除指示の対象とされたジョブが、上記Ｓ２３でのファクシミリデータの転送が済んでいるファクスジョブであるか否かを判断する（Ｓ７）。このとき、ジョブ管理部１０２は、当該ファクスジョブが、上記転送済のファクスジョブであると判断すると（Ｓ７でＹＥＳ）、制御部１０１は、表示部１５０に、例えば図１２に例を示す表示画面ｄ９を表示すること等により、ユーザーに対して、パスワードの入力を促すメッセージを表示させる（Ｓ８）。
【００７１】
ここで、ユーザーによる操作部４７の操作等によりパスワードが入力されると、削除指示受付部１０６がこれを受け付ける（Ｓ９）。ジョブ管理部１０２は、当該入力されたパスワードと、当該削除対象とされているファクスジョブについてＳ２１でパスワード作成部１０４が作成したパスワードとが一致するか否かを判断する（Ｓ１０）。
【００７２】
ジョブ管理部１０２が、当該入力されたパスワードと、Ｓ２１でパスワード作成部１０４が作成したパスワードとが一致しないと判断した場合は（Ｓ１０でＮＯ）、ジョブ管理部１０２は、当該削除指示により削除対象とされたファクスジョブを削除せず、処理はＳ４に戻り、制御部１０１は、表示部１５０に、再び表示画面ｄ３（図７）を表示させる。
【００７３】
他方、ジョブ管理部１０２が、当該入力されたパスワードと、Ｓ２１でパスワード作成部１０４が作成したパスワードとが一致すると判断した場合は（Ｓ１０でＹＥＳ）、ジョブ管理部１０２は、当該削除指示により削除対象とされたファクスジョブを削除（キャンセル）する（Ｓ１１）。すなわち、ジョブ管理部１０２は、上記両パスワードの一致を条件に、当該ファクスジョブのジョブ管理を中止して、順番待ちから外す。Ｓ１１の後、処理は終了する。
【００７４】
なお、Ｓ７において、ジョブ管理部１０２は、削除指示の対象とされたジョブがＳ２３での転送が済んでいるファクシミリデータのファクスジョブではないと判断した場合（Ｓ７でＮＯ）、当該削除指示の対象とされているジョブが、ファクスジョブであれば（Ｓ１２でＹＥＳ）、当該ファクスジョブの削除を行わない。制御部１０１は、画像形成又は表示が済んでいない未出力のファクスジョブはキャンセルできない旨を示すメッセージを、例えば図１３に示す表示画面ｄ１０により表示部１５０に表示させる（Ｓ１３）。
【００７５】
なお、Ｓ１２において、ジョブ管理部１０２は、当該削除指示の対象とされているジョブがファクスジョブではないと判断した場合は（Ｓ１２でＮＯ）、当該ジョブを削除する（Ｓ１４）。
【００７６】
このように、本実施形態では、データ転送制御部１０５がファクシミリデータを他の装置に転送するときに、パスワード作成部１０４によって作成されたパスワードを一緒に転送データとして送信することで、当該転送データを受信した装置において、当該ファクシミリデータに加えてパスワードの印刷、表示、記憶も可能にする。これにより、ユーザーは、この転送先の装置において当該ファクシミリデータの示す内容及びパスワードを得ることが可能になる。そして、ジョブ管理部１０２は、当該パスワードがユーザーから入力され、入力されたパスワードと、作成したパスワードが一致することを条件として、ファクシミリデータについてのファクスジョブを削除する。ここで、ユーザーは、上記転送先の装置において、ファクシミリデータの示す内容と共にパスワードを認識できた場合に、当該ファクシミリデータを削除するためのパスワードを把握可能になるため、ジョブ管理部１０２が当該ファクシミリデータについてのファクスジョブを削除するときは、当該ファクシミリデータがいずれかの装置で印刷、表示、又は記憶に基づく印刷又は表示がされていることになる。また、当該パスワードが入力されると、ジョブ管理部１０２がファクスジョブを削除して、メモリー等に記憶しているデータ量を減らすことができ、メモリフルも防止される。
【００７７】
これにより、ファクシミリデータの転送により当該ファクシミリデータを、受信元の装置である複合機１とは異なる他の装置で印刷又は表示可能とする場合に、転送したファクシミリデータに対応付けられたパスワードの入力を条件に画像メモリー１２０らファクシミリデータを削除することで、受信元の装置におけるファクシミリデータ保存によるメモリフルを防止しつつ、正常に受信したファクシミリデータを確実に保証することが可能になる。
【００７８】
次に、複合機１によるファクス転送処理の第２実施形態を説明する。図１４は、複合機１によるファクス転送処理の第２実施形態を示すフローチャートである。なお、第１実施形態と同様の処理は図示及び説明を省略する。
【００７９】
第２実施形態では、上述した第１実施形態におけるＳ１７に続けて、以下の処理が行われる。
【００８０】
装置検出部１０７により上記のようにして検出されたネットワーク上の各装置を示す画像を、制御部１０１が、例えば表示画面ｄ４（図８）により表示部１５０に表示させているときに（Ｓ１８）、ユーザーが「外部メモリー」画像ｉｍ１５を押下すると、タッチパネル機能により、当該「外部メモリー」画像ｉｍ１５に対応付けられている指示、すなわち、上記検出された外部メモリーの表示を要求する指示が制御部１０１に受け付けられる（Ｓ３１で「外部メモリー又はコンピューター」）。制御部１０１は、当該指示を受け付けると、表示部１５０に、上記検出された各外部メモリーを表示させる（Ｓ３２）。例えば、制御部１０１は、図１５に示すように、検出された各外部メモリーを表示する画像ｉｍ５１〜ｉｍ５２を有する表示画面ｄ１１を表示部１５０に表示させる。
【００８１】
ここで、ユーザーにより転送先としたい所望の外部メモリーを示す画像が押下される等により、上記検出結果として表示されている外部メモリーのいずれかを指定する指示が上記タッチパネル機能により入力されると（Ｓ３３でＹＥＳ）、転送指示受付部１０３が、当該指定された外部メモリーを、上記転送指示で転送の対象とされているファクシミリデータの転送先とする装置として受け付ける（Ｓ３４）。
【００８２】
転送指示受付部１０３が上記転送先を受け付けると、続いて、パスワード作成部１０４が、当該転送対象とされるファクシミリデータについてのパスワードを作成する（Ｓ３５）。
【００８３】
パスワードの作成後、データ転送制御部１０５は、上記転送対象とされるファクシミリデータ及びパスワードを含む転送用のデータを生成し、更に、データ変換部１０８が、このデータを予め定められた標準的なデータ形式、例えば、Jpeg、Bitmap、PDF等のデータ形式に変換する（Ｓ３６）。
【００８４】
当該データ形式の変換後、データ転送制御部１０５は、データ変換された当該データを含む転送データを、上記転送先として指定された外部メモリーに転送する（Ｓ３７）。
【００８５】
なお、Ｓ１８において、ユーザーが「アドレス帳」画像ｉｍ１３を押下した場合は、タッチパネル機能により、当該「アドレス帳」画像ｉｍ１３に対応付けられている指示、すなわち、上記検出されたコンピューターの表示を要求する指示が制御部１０１に受け付けられる（Ｓ３１で「外部メモリー又はコンピューター」）。制御部１０１は、表示部１５０に、上述した表示画面ｄ６（図１０）を表示させ、上記検出された各コンピューターを表示させる（Ｓ３２）。ここで、ユーザーにより転送先としたい所望のコンピューターを示す画像が押下される等により、上記検出結果として表示されているコンピューターのいずれかを指定する指示が上記タッチパネル機能により入力されると（Ｓ３３）、上記Ｓ３４〜Ｓ３６と同様にして、転送先の受付、パスワードの作成、及び予め定められた標準的なデータ形式への変換が行われ、変換後のデータが、上記転送先として指定されたコンピューターに転送される（Ｓ３７）。
【００８６】
このように、データ変換部１０８が上記転送用のデータを予め定められた標準的なデータ形式に変換してから外部メモリーやコンピューターに送信することによって、複合機１とは全く異なる種別の機器において上記転送用のデータを画像形成又は表示することを可能にする。また、外部メモリーに転送用のデータを出力可能とすることによって、当該外部メモリーに記憶された転送用のデータを様々な機器で画像形成や表示できる可能性を拡げることができる。
【００８７】
また、上述したＳ３１において、ユーザーによる操作部４７の操作で、ファクシミリデータの転送先がプリンター又はファクシミリ装置の画像形成装置を選択した場合（Ｓ３１で「プリンター又はファクシミリ装置」）、データ転送制御部１０５は、当該転送先とされたプリンター又はファクシミリ装置が複合機１と同機種又は他機種のいずれであるかを判断する（Ｓ３８）。
【００８８】
ここで、データ転送制御部１０５が、当該転送先のプリンター又はファクシミリ装置が複合機１と同機種であると判断した場合は（Ｓ３８で「同機種」）、上記転送対象とされるファクシミリデータ及びパスワードを含む転送データを転送先とされるプリンター又はファクシミリ装置に転送する（Ｓ３９）。例えば、データ転送制御部１０５は、転送先のプリンター又はファクシミリ装置のＩＰアドレスを予め保有しており、このＩＰアドレスに対してＦＴＰ転送により上記伝送データを送信する。
【００８９】
また、データ転送制御部１０５が、当該転送先のプリンター又はファクシミリ装置が複合機１とは他機種であると判断した場合は（Ｓ３８で「他機種」）、データ転送制御部１０５は、上記転送対象とされるファクシミリデータ及びパスワードを含む転送用のデータを生成し、更に、データ変換部１０８が、当該生成されたデータを予め定められた標準的なデータ形式、例えば、Post Script等の画像形成装置での画像形成に多く適用されているデータ形式に変換する（Ｓ４０）。
【００９０】
このように、データ変換部１０８が上記転送用のデータを予め定められた標準的なデータ形式に変換してからプリンター又はファクシミリ装置に送信することによって、複合機１とは異なる機種の画像形成装置において上記転送用のデータを画像形成又は表示することを可能にする。
【００９１】
続いて、可否検出部１０９が、転送先とされるプリンター又はファクシミリ装置は、上記予め定められた一般的なデータ形式とされたデータの画像形成が可能か否かを判断する（Ｓ４１）。
【００９２】
可否検出部１０９が、当該画像形成装置は、当該一般的なデータ形式とされたデータの画像形成が可能と判断した場合は（Ｓ４１でＹＥＳ）、データ転送制御部１０５は、上記一般的なデータ形式とされた、ファクシミリデータ及びパスワードを含む転送データを、転送先とされるプリンター又はファクシミリ装置に転送する（Ｓ３９）。この場合、データ転送制御部１０５は、予め保有している転送先のプリンター又はファクシミリ装置のＩＰアドレスに対してＦＴＰ転送により上記転送データを送信してもよいし、ＩＰアドレスを保有していない場合は、ユーザーによる操作部４７の操作で入力されるＩＰアドレスに対して上記転送データを送信してもよい。
【００９３】
一方、可否検出部１０９が、当該プリンター又はファクシミリ装置は、上記予め定められた一般的なデータ形式とされたデータの画像形成が不可能と判断した場合は（Ｓ４１でＮＯ）、データ転送制御部１０５は、当該一般的なデータ形式とされたデータを、ファクシミリ通信部１４０から、クラウド上の予め定められたサーバーに送信し（Ｓ４２）、当該サーバーにおいて、転送先とするプリンター又はファクシミリ装置に適応するデータ形式に変換された当該データを、当該サーバーから、当該転送先とする装置にプリンター又はファクシミリ装置に向けて送信させる。
【００９４】
このように、クラウド上のサーバーによるデータ変換機能を用いることで、複合機１が備えるべきデータ変換機能の負担を軽くしつつ、複合機１とは異なる多くの機種において上記データ転送によるファクシミリデータの画像形成や表示を可能にすることができる。
【００９５】
次に、第２実施形態に係る複合機１について説明する。図１６は第２実施形態に係る複合機１の概略構成を示すブロック図である。なお、第１実施形態に係る複合機１と同様の構成は説明を省略する。
【００９６】
図１６に示すように、第２実施形態に係る複合機１は、制御ユニット１００が更に、装置記憶部１１０を備えている。
【００９７】
装置記憶部１１０は、例えば、制御ユニット１００に内蔵されるメモリー等からなり、ユーザーからのパスワード入力に基づいてジョブ管理部１０２によりファクスジョブが上記第１実施形態と同様にして削除されたとき（図３のＳ１１）、当該削除されたファクスジョブのファクシミリデータの転送に用いられていた装置を転送先候補として記憶する。
【００９８】
なお、第１実施形態と同様に、ＨＤＤ１７０又は図略のＲＯＭに記憶されているファクスジョブ管理プログラムに従って、制御ユニット１００が動作することにより、制御ユニット１００は、制御部１０１〜可否検出部１０９に加えて、更に、装置記憶部１１０を備える。但し、装置記憶部１１０は、当該ファクスジョブ管理プログラムに基づく動作によらず、それぞれハード回路により構成されるものとしてもよい。以下、特に触れない限り、各実施形態について同様である。
【００９９】
続いて、第２実施形態に係る複合機１によるファクス転送処理を説明する。図１７は、第２実施形態に係る複合機１によるファクス転送処理を示すフローチャートである。なお、図３に示した第１実施形態に係る複合機１によるファクス転送処理と同様の処理は説明を省略する。
【０１００】
第２実施形態では、上記Ｓ５０でファクスジョブが削除された後、装置記憶部１１０は、当該削除されたファクシミリデータの転送に用いられた装置を転送先候補として記憶しておく（Ｓ６１）。
【０１０１】
そして、上記転送指示が転送指示受付部１０３に受け付けられたとき（Ｓ１６でＹＥＳ）、制御部１０１は、装置記憶部１１０に記憶されている転送先候補を読み出し（Ｓ７１）、読み出した転送先候補としての装置を示す情報を、例えば図１８に例を示す表示画面ｄ１２により、表示部１５０に表示させる（Ｓ７２）。なお、制御部１０１は、上記転送指示が転送指示受付部１０３に受け付けられたとき、表示部１５０に上記表示画面ｄ４（図８）を表示し、ユーザーにより、表示画面ｄ４内の「代行印刷・転送済」画像ｉｍ１６が押下されたときに、表示画面ｄ１２を表示部１５０に表示させるようにしてもよい。
【０１０２】
この第２実施形態では、ファクシミリデータ及びパスワードを含む転送データの転送を受けて、当該ファクシミリデータ及びパスワードの画像形成、表示、又は記憶等に成功した実績を有する装置が抽出されて、転送先候補として装置記憶部１１０に蓄積されていくことになるため、ファクシミリデータの転送先を指定する時等に、当該ファクシミリデータを画像形成、表示又は記憶できる信頼性の高い装置をユーザーに対して提示する、或いは、当該信頼性の高い装置に対して転送データを送信することなどが可能になる。これにより、正常に受信したファクシミリデータを更に確実に保証することができる。
【０１０３】
続いて、第２実施形態に係る複合機１によるファクス転送処理の他の形態を説明する。図１９は、第２実施形態に係る複合機１によるファクス転送処理を示すフローチャートである。なお、図３又は図１７に示したファクス転送処理と同様の処理は説明を省略する。
【０１０４】
この実施形態では、装置記憶部１１０が、削除されたファクシミリデータの転送に用いられた装置を転送先候補として記憶した後（Ｓ６１）、当該装置が転送に用いられた回数をカウントアップする（Ｓ６２）。すなわち、装置記憶部１１０は、当該削除されたファクシミリデータの転送に用いられた装置を転送先候補として記憶するとき、当該装置が転送に用いられた回数を記憶しておく。
【０１０５】
そして、制御部１０１は、装置記憶部１１０に記憶されている転送先候補を読み出すとき制御部１０１は、各装置の上記利用回数も読み出す（Ｓ７５）。制御部１０１は、各装置の当該利用回数に基づいて、表示部１５０の表示画面での各装置の表示形態を異ならせる（Ｓ７６）。例えば、制御部１０１は、転送先候補が、利用回数の大きいものから、ファクシミリ装置、プリンター、パソコンＥ、パソコンＤの順となっている場合は、図２０に例を示す表示画面ｄ１３のように、利用回数の多い順に、各装置を示す画像を上から並べて配置して表示させる（Ｓ７７）。
【０１０６】
或いは、利用回数の大きいものから、ファクシミリ装置、プリンター、パソコンＥ、パソコンＤの順となっている同様の場合を例にして説明すると、制御部１０１は、図２１に示す表示画面ｄ１４のように、利用回数の多い装置ほど、サイズが大きくなるようにして、各装置を示す画像を表示させるようにしてもよい。
【０１０７】
これにより、制御部１０１により、過去に転送データの転送が成功して無事に画像形成、表示又は記憶が行われた実績の高い順に、転送先候補とできる各装置をユーザーに認識させることができる。
【０１０８】
なお、第２実施形態に係る複合機１によるファクス転送処理はこれら各実施形態に限られない。
【０１０９】
例えば、上記のようにして制御部１０１が上記転送先候補として記憶されている装置を読み出すとき（Ｓ７５）、データ転送制御部１０５は、ユーザーからの転送先指定を待つことなく、当該読み出された各装置の内で予め定められた装置、例えば、予め定められたIPアドレスを有する装置に、転送データを転送するようにしてもよい。これにより、ユーザーによる判断に頼ることなく、転送データの転送による画像形成、表示又は記憶が行われる信頼性の高い装置に対して転送して、受信したファクシミリデータの保証の確実性を高める。
【０１１０】
また、上記のようにして、制御部１０１が、装置記憶部１１０から上記転送先候補として記憶されている装置を読み出すときに（Ｓ６１）、各装置の上記利用回数も読み出す場合、データ転送制御部１０５は、最も利用回数の多い装置に、転送データを転送するようにしてもよい。これにより、ユーザーによる判断に頼ることなく、転送データの転送による画像形成、表示又は記憶が行われる信頼性の最も高い装置に対して転送して、受信したファクシミリデータの保証の確実性を更に高めることができる。
【０１１１】
また、本発明は上記実施の形態の構成に限られず種々の変形が可能である。図１乃至図２１を用いて上記各実施形態に示した構成及び処理は、本発明の一実施形態に過ぎず、本発明の構成及び処理はこれに限定されるものではない。
【符号の説明】
【０１１２】
１        複合機
１００    制御ユニット
１０１    制御部
１０２    ジョブ管理部
１０３    転送指示受付部
１０４    パスワード作成部
１０５    データ転送制御部
１０６    削除指示受付部
１０７    装置検出部
１０８    データ変換部
１０９    可否検出部
１１０    装置記憶部
１２０    画像メモリー
１３０    画像形成部
１４０    ファクシミリ通信部
１５０    表示部
４７      操作部
ｄ１〜ｄ１４  表示画面
【図１】
0006027948.tif 000002
【図２】
0006027948.tif 000003
【図３】
0006027948.tif 000004
【図４】
0006027948.tif 000005
【図５】
0006027948.tif 000006
【図６】
0006027948.tif 000007
【図７】
0006027948.tif 000008
【図８】
0006027948.tif 000009
【図９】
0006027948.tif 000010
【図１０】
0006027948.tif 000011
【図１１】
0006027948.tif 000012
【図１２】
0006027948.tif 000013
【図１３】
0006027948.tif 000014
【図１４】
0006027948.tif 000015
【図１５】
0006027948.tif 000016
【図１６】
0006027948.tif 000017
【図１７】
0006027948.tif 000018
【図１９】
0006027948.tif 000019
【図１８】
0006027948.tif 000020
【図２０】
0006027948.tif 000021
【図２１】
0006027948.tif 000022